(57)【特許請求の範囲】
【請求項１】
印字媒体に対して印字処理を行う印字部と、
該印字部が前記印字処理を行うに際し、前記印字媒体を前記印字部とで挟み込むプラテンと、
該プラテンを前記印字部に対して密着方向又は乖離方向に移動させる駆動部と、
前記印字媒体が有する磁気記録部に記録された磁気データの読取又は書込を行う磁気ヘッド部と、
該磁気ヘッド部が前記磁気データの読取又は書込を行うに際し、前記印字媒体を前記磁気ヘッド部とで挟み込む磁気ヘッド押さえ部材と、
前記プラテンが前記印字部に対して乖離方向へ移動するに伴い、前記磁気ヘッド部が前記磁気ヘッド押さえ部材に対して密着方向に移動、又は、前記プラテンが前記印字部に対して密着方向へ移動するに伴い、前記磁気ヘッド部が前記磁気ヘッド押さえ部材に対して乖離方向に移動する連動機構と、
を備え、
前記連動機構は、
前記プラテンの前記乖離方向に配置され、前記プラテンが前記印字部に対し前記乖離方向に移動するとき、前記プラテンの前記乖離方向の面に当接して前記乖離方向に押される当接部と、
該当接部が正逆両方向に回動する際の支持軸と、
該支持軸に対し前記当接部と反対方向に延在し、前記当接部と一体な前記磁気ヘッド部を有し、前記当接部が前記プラテンにより前記乖離方向に押されることに応じて前記支持軸を支点にして前記当接部と同一方向に回動し、前記磁気ヘッド部を前記磁気ヘッド押さえ部材の方向に付勢する引き上げ部と、
を有するように構成される、
ことを特徴とする媒体印字装置。
【請求項２】
前記連動機構は、
前記磁気ヘッドを前記磁気ヘッド押さえ部材に対して、密着方向に移動させ、前記磁気データの読取又は書込み処理を行う位置と、
前記プラテンを前記印字部に対して、密着方向に移動させ、前記印字処理を行う位置と、
前記プラテン及び前記磁気ヘッドが媒体搬送路に突出しない媒体搬送処理を行う位置と、
で位置決めされることを特徴とする請求項１に記載の媒体印字装置。
【請求項３】
前記連動機構は、前記支持軸の軸方向に摺動可能に取り付けられていることを特徴とする請求項１に記載の媒体印字装置。
【請求項４】
見開き中心部に折り目を有し、搬送方向と直交する位置に磁気記録部を有する冊子状媒体に対し、印字処理を行う場合であって、
前記印字媒体の搬入／搬出口の近傍にて前記印字媒体を挟持して搬送する第１の搬送ローラ部と、
該第１の搬送ローラ部よりも前記搬入／搬出口に対し離れた位置にて前記印字媒体を挟持して搬送する第２の搬送ローラ部と、
を更に有し、
該第２の搬送ローラ部は、前記印字媒体が最大移動位置に在るとき前記印字媒体の見開き中心部の折り目よりも最大移動方向側で前記印字媒体を挟持する位置に配置されている、ことを特徴とする請求項１に記載の媒体印字装置。
【発明の詳細な説明】
【技術分野】
【０００１】
本発明は、磁気データの読取部及び書込部を備えた媒体印字装置に関する。
【背景技術】
【０００２】
従来、例えば銀行等の金融機関に預けてある預貯金の出し入れには、郵便局内、銀行内、又は街中等に設置されているＡＴＭ（Automatic Teller Machine）のカード挿入口にキャッシュカードを挿入し、さらに通帳挿入口に預貯金の通帳を挿入して、預貯金の出し入れを行ない、通帳に残高を記録していた。
【０００３】
通常、上記キャッシュカードには裏面に帯状の磁気部が設けられており、この磁気部には少なくともキャッシュカードで取引を行うために必要な口座番号等のＩＤ（identification）コードが記録されている。
【０００４】
また、通帳の裏表紙側にも、キャッシュカードと同様に帯状の磁気部が形成されている。この磁気部には少なくとも通帳に対応する口座番号等のＩＤや印字行最終位置などを示すデータが記録されている。
【０００５】
この通帳をＡＴＭの通帳挿入口に挿入すると、ＡＴＭ内部では、先ず通帳を内部に搬送し、磁気ヘッドが通帳の磁気部に当接して、磁気部の記録を読み取り、ＩＤや印字行最終位置（つまり印字開始頁及び印字開始行）を確認する。
【０００６】
それから印字ヘッドが通帳への印字を開始する。印字ヘッドが通帳へ印字するときは、プラテンと印字ヘッドが相対的に密着方向に移動して通帳の印字行部分を挟持する形となる。
【０００７】
磁気ヘッドにも、印字ヘッドに対するプラテンと同様な機能を有する磁気ヘッド押さえという部材が設けられており、磁気ヘッドが通帳の磁気部の記録を読取り又は書込むときは、磁気ヘッドと磁気ヘッド押さえが相対的に密着方向に移動して通帳の磁気部を挟持する形となる。
【０００８】
上記の通帳のような綴じ合わせ冊子状の印字媒体に印字する印字装置としては、印字位置により印字媒体に厚さの変動が生じることを考慮し、印字媒体の厚さに応じて揺動可能に付勢された揺動プラテンと固定プラテンとを組み合わせて配置し、綴じ合わせ部近傍まで品質の高い印字を行う印字装置を開示した技術がある（例えば、特許文献１参照）。
【０００９】
また、通常、特に地方の郵便局や銀行の渉外員は、時間の自由が利かない又は足腰の自由が利かない得意先のために、預貯金のときは現金と通帳を預かって持ち帰り、預貯金を代行して通帳に預貯金の記録を印字した後、その通帳を得意先に出向いて手渡すということをしている。
【００１０】
また、預貯金の引き出しのときは、渉外員が通帳を預かって持ち帰り、預貯金の引き出しを代行して通帳に預貯金引き出しの記録を印字した後、その引き出した現金と通帳を得意先に出向いて手渡すということを行ってきた。
【００１１】
預貯金している本人が郵便局や銀行に出向いて預貯金の預け入れや引き出しをする場合は、郵便局又は銀行へ足を運ぶのは一度の往復で済むが、それを渉外員が代行する場合は、二度の往復が必要となり、労力的にも時間的にも極めて能率が良くない。
【００１２】
もし、渉外員が携帯可能な簡便な通帳印字装置があれば、預貯金の預け入れのときは、預け入れ金を受け取って、その場で通帳に預け入れの記録を印字して通帳を預け入れ本人に渡せばよく、また、預貯金の引き出しのときは、持ち歩いている予備の現金の中から支払いをして、その場で通帳に支払い記録を印字して通帳を支払い本人に渡せば済む。
【００１３】
単に小型の印字装置という点だけからみると、単一の回転駆動源の回転運動を、運動変換部で回動運動に変換し、複数の部材を駆動するようにしてプリンタの小型化を可能とした技術が開示されている（例えば、特許文献２参照）。
【特許文献１】特開昭６１−２７９５６９号公報
【特許文献２】特開平０７−１１７３０３号公報
【発明の開示】
【発明が解決しようとする課題】
【００１４】
ところで、上記特許文献１の、綴じ合わせ冊子状の印字媒体に印字する印字装置は、もっぱら綴じ合わせ部近傍まで品質の高い印字を行うことを主眼としており、揺動プラテンを揺動可能に位置決めして保持するために、ソレノイド７Ａ及び７Ｂという大型で且つ重量のある装置を用いている。
【００１５】
この特許文献１には、磁気部の記録の読取りや書込みに関する構成や動作の記載は一切見られないが、もしこの印字装置で磁気部の記録の読取りや書込みも行うものとすれば、磁気部の記録の読取りや書込みも、冊子状の印字媒体の厚さの変動に影響を受けるから、揺動プラテンと同様に、揺動式の磁気ヘッド押さえが必要となる。したがって、磁気読取り・書込み部にも、ソレノイド７Ａ及び７Ｂと同様の大型で且つ重量のある装置を用いる必要がでてくる。
【００１６】
このことから、特許文献１の技術は、ＡＴＭ等の床上設置型の大型装置内に配置される印字装置として用いるこが想定されていると考えられる。もっとも、特許文献１に開示されている大量の電力を必要とする専用ソレノイド等を用いる構造は、電池駆動を必須とする携帯型の小型な通帳印字装置には、到底採用できるものではない。
【００１７】
また、特許文献２の、単一の回転駆動源で複数の部材を駆動するプリンタは、単一の回転駆動源から変換された回動運動で４つの部材の移動、すなわち、幅寄せ、シャッタ開閉、搬送補助ガイド移動、及びプラテン昇降を行わせるものである。
【００１８】
特許文献２の図４によれば、幅寄せを行う幅寄せローラ３１４は、搬送ローラ３１１に従動して、媒体Ｐを搬送ガイドＧの搬送基準面Ｈ側に常に幅寄するための装置であり、同じく図８によれば、シャッタ４０２は磁気読取り書込み用の開口部４０１を媒体Ｐの搬送時に部分的に遮蔽するシャッタであり、搬送補助ガイド５０１は、プラテン６０２が昇降する開口部を、媒体Ｐの搬送時に部分的に遮蔽して媒体Ｐを案内する部材である。
【００１９】
この特許文献２において、図２の形状を一見すると、小型化を謳っている通り床上設置型のように大型のプリンタでないことは分かる。しかし、幅寄せを行うということは、印字対象となる媒体のサイズが複数種類あることを示している。
【００２０】
したがって、規格の一定な通帳類の印字を目的としたものでないことは明らかであり、このことと図２ないし図８に示される構成とを考え合わせると、小型とはいっても、デスクトップ型のプリンタが最小限のところであって、渉外員が片手で小脇に抱えて持ち歩くような小型な装置として構成することはできないと考えられる。
【００２１】
本発明の課題は、上記従来の実情に鑑み、軽便な磁気読取書込装置及びその磁気読取書込装置を備え片手で小脇に抱えて持ち歩くことができるほど小型かつ軽量である携帯型の印字装置を提供することである。
【課題を解決するための手段】
【００２２】
本発明の媒体印字装置は、印字媒体に対して印字処理を行う印字部と、該印字部が前記印字処理を行うに際し、前記印字媒体を前記印字部とで挟み込むプラテンと、該プラテンを前記印字部に対して密着方向又は乖離方向に移動させる駆動部と、前記印字媒体が有する磁気記録部に記録された磁気データの読取又は書込を行う磁気ヘッド部と、該磁気ヘッド部が前記磁気データの読取又は書込を行うに際し、前記印字媒体を前記磁気ヘッド部とで挟み込む磁気ヘッド押さえ部材と、前記プラテンが前記印字部に対して乖離方向へ移動するに伴い、前記磁気ヘッド部が前記磁気ヘッド押さえ部材に対して密着方向に移動、又は、前記プラテンが前記印字部に対して密着方向へ移動するに伴い、前記磁気ヘッド部が前記磁気ヘッド押さえ部材に対して乖離方向に移動する連動機構と、を備え、前記連動機構は、前記プラテンの前記乖離方向に配置され、前記プラテンが前記印字部に対し前記乖離方向に移動するとき、前記プラテンの前記乖離方向の面に当接して前記乖離方向に押される当接部と、該当接部が正逆両方向に回動する際の支持軸と、該支持軸に対し前記当接部と反対方向に延在し、前記当接部と一体な前記磁気ヘッド部を有し、前記当接部が前記プラテンにより前記乖離方向に押されることに応じて前記支持軸を支点にして前記当接部と同一方向に回動し、前記磁気ヘッド部を前記磁気ヘッド押さえ部材の方向に付勢する引き上げ部と、を有して構成される。
【００２３】
上記連動機構は、例えば、上記磁気ヘッドを上記磁気ヘッド押さえ部材に対して、密着方向に移動させ、上記磁気データの読取又は書込み処理を行う位置と、上記プラテンを上記印字部に対して、密着方向に移動させ、上記印字処理を行う位置と、上記プラテン及び上記磁気ヘッドが媒体搬送路に突出しない媒体搬送処理を行う位置と、で位置決めされるように構成される。
【００２５】
上記連動機構は、例えば、上記支持軸の軸方向に摺動可能に取り付けられている。
【００２６】
また、この媒体印字装置は、見開き中心部に折り目を有し、搬送方向と直交する位置に磁気記録部を有する冊子状媒体に対し、印字処理を行う場合であって、上記印字媒体の搬入／搬出口の近傍にて上記印字媒体を挟持して搬送する第１の搬送ローラ部と、該第１の搬送ローラ部よりも上記搬入／搬出口に対し離れた位置にて上記印字媒体を挟持して搬送する第２の搬送ローラ部と、を更に有し、該第２の搬送ローラ部は、上記印字媒体が最大移動位置に在るとき上記印字媒体の見開き中心部の折り目よりも最大移動方向側で上記印字媒体を挟持する位置に配置されているように構成される。
【発明の効果】
【００２７】
本発明によれば、移動するプラテンに連動して磁気ヘッドを磁気ヘッド押さえ部材方向に離接させる連動機構を有する軽便な磁気読取書込装置及びその磁気読取書込装置を備え片手で小脇に抱えて持ち歩くことができるほど小型かつ軽量である携帯型の印字装置を提供することが可能となる。
【発明を実施するための最良の形態】
【００２８】
以下、本発明の実施の形態を図面に基づいて詳細に説明する。
【実施例１】
【００２９】
図１(a) は、一実施の形態における印字装置を印字媒体と共に示す外観斜視図であり、同図(b) は、左に印字媒体の見開き印字面、中央に印字媒体の見開き側面、右に見開き背面を示す図である。図１(a) に示すように、印字装置１は、基台２と、この基台２の上方を覆う筐体３を備えている。
【００３０】
筐体３は、後方上部に回動蓋４を備え、回動蓋４から前方両側には、斜め下に傾斜して延び出す迫り出し部５（５ａ、５ｂ）が形成されている。一方の迫り出し部５ａの傾斜がやや緩やかとなっている前部上面のオペレーションパネル６には、電源スイッチ７と、報知ランプ８が配設されている。報知ランプ８は、例えば、Ｒ（赤）、Ｇ（緑）、Ｂ（青）を発光するＬＥＤ（light-emitting-diode）が一体となって構成されている。
【００３１】
また、両側の迫り出し部５に挟まれる形となる筐体３の回動蓋４より前方の中央部は、斜め下方に急傾斜する前面９と、その下方にほぼ水平な案内面１０が形成されている。前面９の下端部と案内面１０の後端部との間には、搬入／搬出口１１が形成されている。
【００３２】
この印字装置１は、例えば、設置面積はＡ４判程度、すなわちＡ４判の用紙上に載せると、用紙の端部が印字装置１の下部四方からはみ出す程度であり、高さは８０mm程度の大きさであり、片手で小脇に抱えることができる程度の重さである。すなわち、
銀行等の金融機関の渉外員等がノート型パーソナルコンピュータと一緒に鞄に入れて持ち運べるような大きさ、重量になっている。  
【００３３】
印字媒体１２は、例えば銀行の預金通帳または郵便局の貯金通帳等であり、案内面１０により案内され、矢印ａで示すように、搬入／搬出口１１から筐体３の内部に搬入され、矢印ｂで示すように、筐体３から外部に搬出される。
【００３４】
印字媒体１２の図１(b) の左に示す見開き印字面１３には、図の横方向に印字行が形成され、その印字行には、例えば、日付、備考、預貯金の預け入れ金額、引き出し金額、及び残高が印字される。
【００３５】
また、印字媒体１２の図１(b) の右に示す見開き背面は、上が表表紙１４、下が裏表紙１５となっており、裏表紙１５の所定の位置に、印字面１３の印字行に直交する方向に磁気記録部１６が形成されている。
【００３６】
図２は、上記印字装置１の内部の主要部の構成を示す図である。尚、図２には、図１と同一の構成部分には図１と同一の番号を付与して示している。
図２に示すように、印字装置１は、筐体３の背面に、印字媒体１２の搬入位置が最大移動位置となったときの搬送前端部の逃げ部となる搬送逃げ口１７を備えている。そして、搬入／搬出口１１と搬送逃げ口１７との間に、印字媒体１２の搬送を案内する上下二枚の板（すのこ状の板でもよい）からなる前部案内部１８と後部案内部１９を備えている。
【００３７】
搬入／搬出口１１の内側近傍には、ローラ対からなる第１の搬送ローラ部２１が配設されている。
この第１の搬送ローラ部２１は、前部案内部１８を一部突き抜けて配置されており、搬入／搬出口１１から図１(a) の矢印ａで示したように挿入される印字媒体１２を挟持して搬送（搬入／搬出、以下同様）する。
【００３８】
また、この第１の搬送ローラ部２１よりも搬入／搬出口１１に対し離れた位置（図では搬送逃げ口１７の内側に近接する位置）に、ローラ対からなる第２の搬送ローラ部２２が配設されている。
【００３９】
この第２の搬送ローラ部２２は、後部案内部１９を一部突き抜けて配置されており、第１の搬送ローラ部２１と協働して印字媒体１２を挟持して搬送する。
上記の第１の搬送ローラ部２１及び第２の搬送ローラ部２２は、迫り出し部５ｂの内部に配設されているステッピングモータ２０により、不図示のギア及び歯付きベルトからなる駆動系を介して回転駆動される。
【００４０】
上記の前部案内部１８と後部案内部１９の間には、印字部２３が配置されている。印字部２３は、印字ヘッド２４、印字ヘッド２４を保持するキャリッジ２５、キャリッジ２５をキャリッジ２５の不図示のボールナットを介して摺動自在に保持するボールネジ２６等からなる。
【００４１】
ボールネジ２６は、印字部２３よりも紙面奥行き方向の向う側に配置されているステッピングモータ２７により不図示のギア系からなる駆動系を介して回転駆動される。これにより、キャリッジ２５つまり印字部２３が、紙面奥行き方向に往復移動する。
【００４２】
尚、キャリッジ２５のボールナットを単なる丸孔とし、ボールネジ２６を単なる丸棒又はパイプとし、ギア及び歯付きベルトからなる駆動系を介してキャリッジ２５を往復移動させるようにしてもよい。
【００４３】
上記の印字部２３及びリボンカセット２７は、回動蓋４の裏面に固定して懸架されている。回動蓋４がヒンジ軸２８を回動支点として内部開放位置４´に開成されると、この回動蓋４の開成移動に追随して、印字部２３及びリボンカセット２７は開放位置２３´及び２７´に移動する。
【００４４】
また、前部案内部１８と後部案内部１９で形成される印字媒体搬送路を挟み印字部２３の印字ヘッド２４と対向して、プラテン２９が、紙面奥行き方向に延在して配置されている。
【００４５】
プラテン２９は、不図示の切替機構によって切り替えられるステッピングモータ２０の駆動伝達系により駆動されて、上下方向に移動する。すなわち、印字部２３の印字ヘッド２４に対し、密着方向及びと乖離方向とに移動する。
【００４６】
また、第１の搬送ローラ部２１のほぼ軸線に沿う所定の位置に、磁気読取書込装置３０が配置されている。
磁気読取書込装置３０は、磁気ヘッド部３１と、磁気ヘッド押さえ部材３２と、印字部２３（つまり印字ヘッド２４）に対して、密着方向又は乖離方向に移動するプラテン２９の移動に連動して磁気ヘッド部３１を磁気ヘッド押さえ部材３２に対し乖離方向又は密着方向に移動させる連動機構３３を備えている。
【００４７】
磁気ヘッド押さえ部材３２は、シャフト３４に摺動可能に嵌合して所定の位置に位置決めされた後、シャフト３４に固定される。
【００４８】
磁気ヘッド部３１は、位置決めされた磁気ヘッド押さえ部材３２に対向する位置で、後述する固定部材によって印字装置本体フレームに回動可能に位置固定される。
連動機構３３は、連動回転軸３５に嵌合し、連動回転軸３５により摺動可能に且つ回動可能に支持されている。
【００４９】
この連動機構３３は、印字ヘッド２４に対してプラテン２９の乖離方向に配置され、プ
ラテン２９が印字部２３に対し乖離方向に移動するとき、プラテン２９の乖離方向の面２９ａに当接して乖離方向に押される当接部３６を備えている。
【００５０】
また、連動機構３３は、当接部３６が正逆両方向に回動する際の上記の連動回転軸３５に対して当接部３６と反対方向に延在し、当接部３６と一体をなす引き上げ部３７を備えている。
【００５１】
引き上げ部３７は、当接部３６が印字ヘッド２４に対してプラテン２９の乖離方向に押されることに応じて、連動回転軸３５を支点にして当接部３６と同じ回り方向（図の時計回り方向）に回動し、詳しくは後述する付勢部材を介して磁気ヘッド部３１を磁気ヘッド押さえ部材３２の方向に付勢する。
【００５２】
また、基台２の底部には、制御装置等の電子部品が搭載された回路基板３８が配設されている。この回路基板３８には、搭載されている電子部品の他に、着脱自在に装着される内蔵電池３９がケーブル接続されている。
【００５３】
図３は、上記構成の印字部２３、プラテン２９、磁気読取書込装置３０のみを取り出して示す斜視図である。
図４(a),(b) は、それぞれ左に図３を矢印ｅ方向に見た図を示し、右に、図３を矢印ｆ方向に見た図を示している。
【００５４】
尚、図３及び図４(a),(b) には、図２と同一の構成部分には図２と同一の番号を付与して示している。また、説明に必要な最小限の付属部材も共に示している。
図３及び図４(a),(b) において、プラテン２９は、前述したように、ステッピングモータ２０の駆動伝達系の切替により駆動されて、印字部２３の印字ヘッド２４に対し、矢印ｃで示す密着方向と、矢印ｄで示す乖離方向とに移動する。この移動はプラテンセンサ４０によって検知され、これにより、プラテン２９は所定の位置に設定される。
【００５５】
図４(a) に示すように、プラテン２９が印字ヘッド２４から乖離する方向に移動すると、プラテン２９の乖離方向の面２９ａに当接する連動機構３３の当接部３６がプラテン２９の乖離方向に押される。これにより、当接部３６及び当接部３６と一体な引き上げ部３７が、連動回転軸３５を支点にして、矢印ｇで示す時計回り方向に回動する。
【００５６】
連動機構３３が時計回り方向に回動することにより、引き上げ部３７の端部に上端が係止する付勢部材（例えば図４(a),(b) に示すような引き螺旋バネ）４１が上方に引き伸ばされる。
【００５７】
付勢部材４１の下端部は、回動支持部材４２の係止部４３に係止している。したがって、付勢部材４１が上方に引き伸ばされることによる付勢部材４１の縮み方向の復元力により、回動支持部材４２が上方に引き揚げられる。
【００５８】
これにより回動支持部材４２は、支持軸４４を支点にして図４(a) の矢印ｈで示すように反時計回り方向に回動する。支持軸４４は固定部４５に係合しており、固定部４５は印字装置本体フレーム４６の、溝状の長孔の上下から例えばビスとナットで挟めつけるようにして摺動可能に固定されている。
【００５９】
支持軸４４を支点にして反時計回り方向に回動する回動支持部材４２の回動自由端には磁気ヘッド３１を保持する磁気ヘッド保持部材４８が他の支持軸４７により支持されている。
【００６０】
これにより、付勢部材４１の上記の縮み方向の復元力により、上方に引き揚げられて矢印ｈ方向に付勢されて回動する支持部材４２により、磁気ヘッド３１は、磁気ヘッド保持部材４８を介し矢印ｉで示すように磁気ヘッド押さえ部材３２に密着する方向へ付勢される。
【００６１】
尚、図３では、磁気ヘッド押さえ部材３２には嵌合孔４９のみ示し、この嵌合孔４９に嵌入して磁気ヘッド押さえ部材３２を支持するシャフト３４（図３、図４(a),(b) 参照）の図示は省略している。
【００６２】
ところで、上記とは逆に、図４(b) に示すように、プラテン２９が印字ヘッド２４に密着する方向に移動すると、プラテン２９の乖離方向の面２９ａに当接する連動機構３３の当接部３６がプラテン２９の押圧から開放される。
【００６３】
これにより、連動機構３３の引き上げ部３７に係合する付勢部材４１の縮み方向の復元力により、連動機構３３が図４(b) の矢印ｊで示すように反時計回り方向に回動する。
また、これと共に、連動機構３３からの引き上げ付勢力から開放された支持部材４２が磁気ヘッド部３１を伴って、不図示の付勢部材の付勢力により（又は自重を利用してもよい）矢印ｋで示すように時計回り方向に回動する。これにより、磁気ヘッド部３１が、矢印ｍで示すように、磁気ヘッド押さえ部材３２から乖離する方向へ移動する。
【００６４】
ここで、図４(a) に示す状態は、図１(b) の右に示した印字媒体１２の裏表紙１５に設けられている磁気記録部１６に対して、磁気読取書込装置３０により磁気データを読み取る又は書き込む場合の設定状態を示している。
【００６５】
そして、図４(b) に示すように、プラテン２９´が印字ヘッド２４と密着した状態は、図１(b) の左に示した印字媒体１２の見開き印字面１３に、印字部２３によりプラテン２９と協働して、日付、備考、預貯金の預け入れ金額、引き出し金額、残高等を印字する場合の設定状態を示している。
【００６６】
また、図４(b) に示すように、プラテン２９が媒体搬送路をふさがない状態は、媒体を搬送路で搬送する搬送状態を示している。
図５は、上記の構成における、印字装置１の制御部の構成を示すシステムブロック図である。図５に示すように、印字装置１の制御システムは、送受信タスク５１、システム管理タスク５２、搬送制御／磁気制御タスク５３、印字編集タスク５４、印字制御タスク５５等から構成される。
【００６７】
図中の両方向を往復する矢印は、データ又はコマンドの送受経路を示し、一方向矢印は制御の方向を示している。上記の各タスクはそれぞれ協働し、あるいは分担して、種々のドライバを制御する。
【００６８】
印字装置１には、少なくとも、ヘッドドライバ５７、モータ制御ドライバ５８、センサ制御ドライバ５９、磁気制御ドライバ６０、Ｂｌｕｅｔｏｏｔｈ制御ドライバ６１、シリアル制御ドライバ６２、オペレーションパネル制御ドライバ６３、フラッシュＲＯＭ（read-only-memory）制御ドライバ６４等のドライバが搭載されている。
【００６９】
印字編集タスク５４はイメージバッファ５６に印字イメージデータを展開し、印字制御タスク５５は、イメージバッファ５６に展開された印字イメージデータを参照しながらヘッドドライバ５７及びセンサ制御ドライバ５９を制御する。
【００７０】
搬送制御／磁気制御タスク５３は、モータ制御ドライバ５８、センサ制御ドライバ５９
及び磁気制御ドライバ６０を制御する。送受信タスク５１は、Ｂｌｕｅｔｏｏｔｈ制御ドライバ６１及びシリアル制御ドライバ６２を制御し、システム管理タスク５２は、オペレーションパネル制御ドライバ６３及びフラッシュＲＯＭ制御ドライバ６４を制御する。これらの各ドライバは、Ｉ／Ｏ（入出力インタフェース）６５を介して各部を駆動する。
【００７１】
例えば、ヘッドドライバ５７は、印字ヘッド２４の印字素子を印字イメージデータに合わせて印字駆動する。これにより、図１(b) の左に示した印字媒体１２の見開き印字面１３に、印字部２３により、日付、備考、預貯金の預け入れ金額、引き出し金額、残高等の印字が実行される。
【００７２】
また、モータ制御ドライバ５８は、ステッピングモータ２０を正逆回転駆動する。これにより、駆動伝達系の切替に応じて、あるときは第１の搬送ローラ部２１及び第２の搬送ローラ部２２が正逆回転駆動され、またあるときはプラテン２９が上下に昇降する。    
【００７３】
また、センサ制御ドライバ５９は、プラテンセンサ４０や図２では図示を省略した各部のセンサを駆動して、その出力を監視する。これにより、各部の回転量や移動量が所定の回転数又は所定の位置に制御される。
【００７４】
また、磁気制御ドライバ６０は、磁気ヘッド３１を制御する。これにより、図１(b) の右に示した印字媒体１２の裏表紙１５に設けられている磁気記録部１６に対して、磁気読取書込装置３０による磁気データの読み取りや書き込みや実行される。
【００７５】
また、Ｂｌｕｅｔｏｏｔｈ制御ドライバ６１は、無線送受信部７０を駆動制御する。これにより、携帯型端末７２との間でＢｌｕｅｔｏｏｔｈ規格の無線通信を行うことができ、携帯型端末７２からの指示で印字装置１が動作するようになる。
【００７６】
また、シリアル制御ドライバ６２は、図１及び図２では図示を省略したＲＣ２３２Ｃインタフェース６６の入出力を制御する。これにより、例えば印字装置１を使用した渉外員が帰還した事務所においてＲＣ２３２Ｃインタフェース６６に接続される外部機器と、印字装置１との間で印字データの通信が行われる。
【００７７】
また、オペレーションパネル制御ドライバ６３は、オペレーションパネル６の報知ランプ８の出力を制御する。これにより、報知ランプ８において印字装置１の各部の動作に応じて所定の発光色のＬＥＤにより、点灯、点滅、消灯による外部への報知が実行される。
【００７８】
図６は、上記の構成において、システム管理タスク５２により実行される処理動作を説明するフローチャートである。
図７(a),(b),(c),(d) は、上記の処理動作における本実施形態の主要部の動作を説明する動作状態図である。尚、図７には、図１ないし図４に示した構成と同一の構成部分には図１ないし図４と同一の番号を付与して示している。また、図７(a),(b) に示す番号は、図７(c),(d) では記載を省略している。
【００７９】
図６において、処理Ａは初期設定動作を示し、処理Ｂは磁気読取り動作を示し、処理Ｃは印字動作を示し、そして、処理Ｄは磁気書込み（書換え）動作を示している。尚、この印字装置１では、電源投入前の停止時には、印字部２３は印字位置よりも上方にあり、プラテン２９も、印字媒体搬送路よりも上方に位置して停止している。
【００８０】
先ず、処理Ａの初期設定動作で、渉外員の手によって印字装置１の電源がオンとなると（ステップＳ１）、プラテン２９の位置が検知される（ステップＳ２）。この処理は、プラテンセンサ２０により、プラテン２９がホームポジションに在るか否かを検出する処理
である。
【００８１】
尚、プラテン２９のホームポジションは、図７(b) に示すように、プラテン２９の上面が印字媒体搬送路と同じ高さになる位置、かつ、磁気ヘッドは印字媒体搬送路に突出しない位置である。
【００８２】
そして、プラテン２９がまだホームポジションに来ていないときは（Ｓ２がＮＯ）、プラテン２９を下降させて（Ｓ３）、再びステップＳ２の検知処理を行う、ということを繰り返す。
【００８３】
そして、プラテン２９がホームポジションに来たことが検知されることによって（Ｓ２がＹＥＳ）、初期設定が完了する。
プラテン２９がホームポジションで印字媒体搬送路と同じ高さに位置することによって、印字媒体搬送路を前部案内部１８から後部案内部１９へと搬送される印字媒体１２の搬送方向先端が、後部案内部１９の前端部に引っ掛かる不具合を防止することができる。
【００８４】
尚、図１(a) に示したように、搬入／搬出口１１から挿入された印字媒体１２は、図７(a),(b),(c) の矢印ｎで示すように、順逆両方向に搬送（搬入／搬出）される。
また、このようにプラテン２９がこのホームポジションに在るときは、連動機構３３の当接部３６は、図７(d) の場合と同様に、プラテン２９の押圧から開放されており、したがった、磁気ヘッド３１は、図４(b) で説明したように、磁気ヘッド押さえ部材３２から乖離する方向へ移動している。
【００８５】
これにより、前部案内部１８及び後部案内部１９とで形成される印字媒体搬送路は、印字媒体搬送のためにプラテン２９からも磁気ヘッド３１からも開放される。
ここで、ステッピングモータ２０の駆動伝達系が切り替えられることにより、プラテン２９がホームポジションで停止し、第１の搬送ローラ部２１及び第２の搬送ローラ部２２が順方向に回転駆動される。
【００８６】
次に、処理Ｂの磁気読み取り動作において、前部案内部１８の近傍に設置された図示しない光学センサ７１が媒体の挿入を検知すると、印字媒体の搬入動作が開始される（ステップＳ４）。そして、光学センサ７１により、磁気記録部１６の記録読取開始位置が磁気ヘッド３１の位置に来たことが検知されることによって、ステッピングモータ２０の駆動伝達系が切り替えられ、搬入動作が停止される（ステップＳ５）
図７(a),(b) に示す記録媒体１２の位置は、上記のように磁気記録部１６の記録読取開始位置が磁気ヘッド３１の位置に来て停止した状態を示している。
【００８７】
続いて、プラテン２９が下降する（ステップＳ６）。この処理では、図７(c) の矢印ｏで示すように、プラテン２９が下降して連動機構３３の当接部３６を押し下げる。これにより、連動機構３３が矢印ｐで示す時計回り方向に回動し、図４(a) でも説明したように、磁気ヘッド部３１が、図７(c) の矢印ｑで示すように、磁気ヘッド押さえ部材３２に密着する方向に付勢される。
【００８８】
ここで搬入動作が再開され、プラテンと印字ヘッド部が離れるため、邪魔されることなく、低速で搬送されることにより磁気ヘッド部３１による印字媒体１２の磁気記録部１６の磁気部１６ａから磁気記録データを読み取る処理が開始される（ステップＳ７）。
【００８９】
そして、図７では示していないが、印字媒体１２の搬入方向後端部が第１の搬送ローラ部２１の位置まで来たときに、磁気部１６ａの記録読取終了位置が磁気ヘッド３１の位置に来る。
【００９０】
また、このとき、印字媒体１２の搬入方向にある表表紙１４及びこれと重なる見開き印字面１３の部分は、図２に示した搬送逃げ口１７から外部に突出する。
この状態で、ステッピングモータ２０の駆動伝達系が切り替えられ、印字媒体１２の搬入動作が停止され（ステップＳ８）、代わってプラテン２９が再びホームポジションの位置、すなわち印字媒体搬送路を遮らない高さまで上昇する（ステップＳ９）。
【００９１】
これにより、前述したように磁気ヘッド部３１が下降し、印字媒体搬送路は、再び印字媒体の搬送（移動）のためにプラテン２９からも磁気ヘッド３１からも開放される。
続いて、処理Ｃの印字動作が開始される。すなわち、ステッピングモータ２０の駆動伝達系が、プラテン２９を上昇駆動し、所定の位置に停止させる。次に、不図示の搬送モータを駆動し、第１及び第２の搬送ローラ部２１及び２２の回転駆動に切り替により、印字媒体１２の移動が開始され（ステップＳ１０）、所定の位置で停止する（ステップＳ１１）。
【００９２】
この処理では、処理Ｂの磁気読取り動作において、通帳所有者ＩＤや預貯金の磁気データと共に、見開き印字面１３の記録最終行を示すデータも読み取られており、この記録最終行を示すデータに基づいて、印字媒体１２の今回の記録開始行が認識され、その記録開始行が印字部２３の印字ヘッド２４に対向する位置（所定の位置）に来た時点で印字媒体１２の搬送（移動）が停止される。
【００９３】
ここで、プラテン２９が、ホームポジションから、図７(d) の矢印ｒで示すように、印字媒体搬送路の中を印字ヘッド２４の不図示の突き当て部に当接するまで上昇する（ステップＳ１２）。これにより、ステッピングモータ２０が脱調させた後、停止させ、プラテン２９も停止する（ステップＳ１３）。
【００９４】
その後、ステッピングモータ２０が所定ステップ回転して、プラテン２９が印字ヘッド２４から規定距離だけ離れた位置まで下降させ、印字ヘッドとプラテンが適正な圧力となる位置に移動させる（ステップＳ１４）。これにより、印字ヘッド２４とプラテン２９との間に所定の間隙が形成され、この間隙に印字媒体１２の見開き印字面１３の記録開始行の部分が挟持される。
【００９５】
続いて、印字動作が実行される（ステップＳ１５）。この処理では、印字部２３は印字媒体１２の記録開始行に沿って移動しながら、印字ヘッド２４により、記録開始行に、例えば、日付、備考、預け入れ金額又は引き出し金額、及び残高等が印字される。
【００９６】
また、この処理では、記録行が記録開始行の他に数行に及ぶときは、記録行の行数だけ搬送と印字動作が繰り返される。そして、必要な記録の印字が全て終了すると、印字動作が停止する。したがって、この場合、磁気ヘッド押さえ部と磁気ヘッドが乖離しているため、邪魔されることなく改行動作が行なわれるため、斜行などの影響を受けずに適正に印字処理が行なわれる。
【００９７】
また、図２〜図４では、特には図示しなかったが、印字時の標準位置において印字媒体１２の見開き印字面の紙厚変化に対応できるように、プラテン２９は、被保持部に設けられた付勢部材により、上下に揺動可能に構成されている。
【００９８】
上記に続いて、プラテン２９が、図７(b) に示すように、ホームポジション、すなわち印字媒体搬送路を遮らない位置まで下降する（ステップＳ１６）。
これにより、磁気ヘッド部３１は下降したままの位置にあり、印字媒体搬送路は、再び印字媒体の搬送（移動）のためにプラテン２９からも磁気ヘッド３１からも開放される。
【００９９】
そして、最後に処理Ｄの磁気書込み（書換え）動作が開始される。先ず、第１及び第２の搬送ローラ部２１及び２２による印字媒体１２の搬入方向への搬送が開始される（ステップＳ１７）。
【０１００】
なお、磁気記録部１６の記録書込開始位置は、図７(a),(b) に示す記録読取開始位置とは反対側端部になっている。つまり、磁気部１６ａの記録読取終了位置が記録書込開始位置となっている。
【０１０１】
したがって、上記の処理Ｃの印字動作における最終印字位置がどの行であっても、磁気書込み処理では、最初の印字媒体１２の搬送は搬入方向への搬送となる。
そして、光学センサ７１により、磁気記録部１６の記録書込開始位置が磁気ヘッド３１の位置に来たことが検知されることによって、搬送動作が停止される（ステップＳ１８）。
【０１０２】
この場合も、印字媒体１２の搬入方向にある表表紙１４及びこれと重なる見開き印字面１３の部分は、図２に示した搬送逃げ口１７から外部に突出する。
続いて、プラテン２９が下降する（ステップＳ１９）。そして、連動機構３３により、磁気ヘッド部３１が、磁気ヘッド押さえ部材３２に密着する方向に付勢される。
【０１０３】
ここで搬出動作が開始され、磁気ヘッド部３１による印字媒体１２の磁気部１６ａへの磁気記録データの書込み処理が開始される（ステップＳ２０）。尚、この処理では、磁気データは、逆方向に並べ替えられて書き込まれていく。
【０１０４】
そして、磁気ヘッド３１が磁気部１６ａの記録書込終了位置にくると、搬出動作が停止する（ステップＳ２１）。
続いて、搬入動作が開始され、磁気ヘッド３１によって、磁気部１６ａの磁気データの記録が読み取られる（ステップ２２）。そして、読み取りが終了すると搬入が停止する（ステップＳ２３）。これにより、いま書き込まれた磁気データの記録が正しく書き込まれているかが読取り・確認される。
【０１０５】
上記の読取り・確認により、磁気データの記録が正しく書き込まれていると判断されたときは、プラテン２９が図７(c) の位置から、図７(b) に示す印字媒体搬送路を遮らない位置まで上昇する（ステップＳ２４）。また、磁気データが正しく書き込まれなかったと判断された場合は、再度、磁気記録データの書込み処理が行われる。
【０１０６】
これにより、磁気ヘッド部３１は下降し、印字媒体搬送路は、再び印字媒体の搬送（移動）のためにプラテン２９からも磁気ヘッド３１からも開放される。
そして、第１及び第２の搬送ローラ部２１及び２２が回転駆動され、印字媒体１２が搬入／搬出口１１から外部に排出されて（ステップＳ２５）、搬出動作が停止する（ステップＳ２６）。
【０１０７】
このように、プラテン２９の位置により、搬送動作（図７(b) 参照）、磁気読取動作（図７(c) 参照）、印字動作（図７(d) 参照）のそれぞれの動作が行われる。
すなわち、一般に通帳等の印字媒体に印字する印字装置は、印字媒体の搬送、磁気データの読取りと書込み、印字媒体への印字という三通りの処理動作を実行する。
【０１０８】
印字媒体の搬送では、搬送ローラで印字媒体を挟み、搬送ローラを回転させることにより印字媒体を搬送する。その際、プラテンは印字媒体の搬送路に突出したりして搬送を妨げてはならない。
【０１０９】
また、磁気データの読取りと書込みでは、磁気記録部に磁気ヘッドを押圧した状態で上記の搬送動作を行い且つ磁気データの読取りや書込みを行う。その際にも、プラテンは印字媒体の搬送路に突出したりして搬送を妨げてはならない。
【０１１０】
また、印字媒体への印字では、搬送動作で所定位置に印字媒体を移動させて停止させた後、プラテンを動作させて印字ヘッドとプラテンの間に印字媒体を挟むが、印字ヘッドは印字面に一定の間隔で位置する必要がある。
【０１１１】
本例では、これらの動作を、全てプラテンの三通りの昇降動作に連動して実行することができる。
そして、従来は、プラテンと磁気ヘッドの移動を駆動するには、それぞれ固有の動力源を必要としていたが、本実施例の連動機構によって、１個のモータで駆動することができ、これにより、印字装置の小型軽量化に貢献できる。
【０１１２】
したがって、片手で小脇に抱えて持ち歩くことができるほど小型で軽量の携帯印字装置が実現できる。また、プラテンと磁気ヘッドの移動に駆動モータを共通で使用しているため、電源電池の消費電力を低く抑えることができ、長時間の駆動が可能となる。これにより、渉外員は携帯印字装置の電池残量を気にせずに、一日中外回りを行なうことができるため、より多くの顧客を回ることができ、顧客のサービス向上を図ることが出来る。
【０１１３】
また、磁気ヘッド部３１は、連動回転軸３５の軸方向に摺動可能なように取り付けられているので、印字媒体１２によって磁気記録部１６の位置が異なっていても、磁気ヘッド部３１を移動させることで容易に対処することができる。これは、金融機関毎に通帳の磁気記録部の位置が異なっている場合が多いためであり、顧客先で必要に応じて適切な位置に磁気ヘッド部を移動させることができる。例えば、金融機関の統合により新旧複数種類の通帳を扱う場合においては、顧客が保有する通帳の種類に応じて、磁気ヘッドの位置を適切に変更することにより、迅速な処理が行なえ、運用性が向上する。
【０１１４】
また、磁気ヘッドは、一定の圧力で磁気ヘッド押え部材に押圧する必要があるが、本例の連動機構では、連動機構の回動の動きに従い、付勢部材で磁気ヘッドを磁気ヘッド押え部材方向に付勢して、適宜に適切な圧力で磁気ヘッドを磁気ヘッド押え部材に容易に押圧することができるため、確実に通帳の磁気記録部に磁気データの読取や書込を行なうことが可能となる。例えば、通帳が撓んでいたり、シワなどが発生していたりする場合であっても、付勢部材により磁気ヘッドを適切な圧力で、かつ、柔軟に押さえつけているため、客先での磁気データの読込や書込の不良を低く抑えることができる。
【０１１５】
また、連動機構は、磁気ヘッドによる磁気データの読取又は書込時はプラテンを印字ヘッドに対して乖離方向に移動し、媒体への印字処理時は磁気ヘッド部を磁気ヘッド押さえ部材に対して乖離方向へ移動する様に動作する。これにより、それぞれの処理時において印字ヘッド及び磁気ヘッドが邪魔にならない位置に位置決めされるため、磁気記録部や冊子の綴り部の媒体の厚み変化の影響を受けずに処理を行うことが可能となる。
【０１１６】
図８(a),(b) は、上記構成の印字装置１における第１及び第２の搬送ローラ部２１及び２２の配置状態の特徴を説明する図である。同図(a),(b) は、いずれも上に図７(a) と同様の配置関係を示し、中央に図７(c) と同様の配置関係を示し、下に磁気ヘッドと磁気記録部との位置関係を示している。
【０１１７】
また、図８(a) には、説明に必要な最小限の構成部分に図１ないし図４と同一の番号を付与して示し、図８(b) には、図８(a) を参照できる部分には番号の記載を省略している
。
【０１１８】
また、図８(a),(b) には、印字媒体１２の綴じ込み部６８、第２の搬送ローラ部２２のローラ把持部６９、及び磁気ヘッド部３１の読み書き位置ｓを示している。
ここで図８(a) は、磁気ヘッド部３１が印字媒体１２の磁気部１６ａの読取開始位置（書込終了位置でもある）にあるときの各部の配置関係を示している。
【０１１９】
また、図８(b) は、磁気ヘッド部３１が印字媒体１２の磁気部１６ａの読取終了位置（書込開始位置でもある）にあるときの各部の配置関係を示している。また、図８(b) に示す状態は、印字媒体１２が最大移動位置に在るときの状態でもある。
【０１２０】
図８(b) に示すように、第２の搬送ローラ部２２は、印字媒体１２が最大移動位置に在るとき印字媒体１２の見開き中心部の折り目（綴じ込み部６８）よりも最大移動方向側（図の右方向側）で印字媒体１２を挟持（ローラ把持部６９参照）する位置に配置されている。
【０１２１】
磁気ヘッド部３１が磁気部１６ａの磁気データの読み書き中に、綴じ込み部６８で厚さが変化する見開き印字面に、第２の搬送ローラ部２２が乗り上げたり逆に紙面から離れると、磁気データを読み書きする磁気ヘッド部３１の特性に悪影響を及ぼすという不具合が発生する。
【０１２２】
しかし、上記のように第２の搬送ローラ部２２が常に見開き中心部の折り目（綴じ込み部６８）よりも最大移動方向側（図の右方向側）に位置するように配置されていると、磁気データの読み書き動作の開始から動作終了までの間に、綴じ込み部６８で厚さが変化する見開き印字面に、第２の搬送ローラ部２２が乗り上げたり逆に紙面から離れるようなことがなく、したがって、磁気ヘッド部３１の特性に悪影響を及ぼす不具合が解消される。
【０１２３】
このように、本例の印字装置１の搬送ローラ部の配置構成では、搬送ローラと磁気ヘッドの安定した動作が保証される。
【図面の簡単な説明】
【０１２４】
【図１】(a) は一実施の形態における印字装置を印字媒体と共に示す外観斜視図、(b) は左に印字媒体の見開き印字面、中央に印字媒体の見開き側面、右に見開き背面を示す図である。
【図２】一実施の形態における印字装置の内部の主要部の構成を示す図である。
【図３】一実施の形態における印字装置の印字部、プラテン、磁気読取書込装置のみを取り出して示す斜視図である。
【図４】(a),(b) はそれぞれ左に図３を矢印ｅ方向に見た図を示し、右に図３を矢印ｆ方向に見た図を示している。
【図５】一実施の形態における印字装置の制御部の構成を示すシステムブロック図である。
【図６】一実施の形態における印字装置においてシステム管理タスクにより実行される処理動作を説明するフローチャートである。
【図７】図６に示す処理動作における本実施形態の主要部の動作を説明する動作状態図である。
【図８】(a),(b) は一実施の形態の印字装置における第１及び第２の搬送ローラ部の配置状態の特徴を説明する図である。
【符号の説明】
【０１２５】
１      印字装置
２      基台
３      筐体
４      回動蓋
５（５ａ、５ｂ）  迫り出し部
６      オペレーションパネル
７      電源スイッチ
８      報知ランプ
９      前面
１０      案内面
１１      搬入／搬出口
１２      印字媒体
１３      見開き印字面
１４      表表紙
１５      裏表紙
１６      磁気記録部
１６ａ    磁気部
１７      搬送逃げ口
１８      前部案内部
１９      後部案内部
２０      ステッピングモータ
２１      第１の搬送ローラ部
２２      第２の搬送ローラ部
２３      印字部
２４      印字ヘッド
２５      キャリッジ
２６      ボールネジ
２７      リボンカセット
２８      ヒンジ軸
２９      プラテン
２９ａ    乖離方向の面
３０      磁気読取書込装置
３１      磁気ヘッド部
３２      磁気ヘッド押さえ部材
３３      連動機構
３４      シャフト
３５      連動回転軸
３６      当接部
３７      引き上げ部
３８      回路基板
３９      内蔵電池
４０      プラテンセンサ
４１      付勢部材（例えば引き螺旋バネ）
４２      回動支持部材
４３      係止部
４４      支持軸
４５      固定部
４６      印字装置本体フレーム
４７      支持軸
４８      磁気ヘッド保持部材
４９      嵌合孔
５１      送受信タスク
５２      システム管理タスク
５３      搬送制御／磁気制御タスク
５４      印字編集タスク
５５      印字制御タスク
５７      ヘッドドライバ
５８      モータ制御ドライバ
５９      センサ制御ドライバ
６０      磁気制御ドライバ
６１      Ｂｌｕｅｔｏｏｔｈ制御ドライバ
６２      シリアル制御ドライバ
６３      オペレーションパネル制御ドライバ
６４      フラッシュＲＯＭ（read-only-memory）制御ドライバ
６５      Ｉ／Ｏ（入出力インタフェース）
６６      ＲＣ２３２Ｃインタフェース
６７      フラッシュＲＯＭ
６８      綴じ込み部（ミシン目）
６９      ローラ把持部
７０      bluetooth（無線送受信部）
７１      光学センサ
７２      携帯型端末
【図１】
0004909236.tif 000002
【図２】
0004909236.tif 000003
【図３】
0004909236.tif 000004
【図４】
0004909236.tif 000005
【図５】
0004909236.tif 000006
【図６】
0004909236.tif 000007
【図７】
0004909236.tif 000008
【図８】
0004909236.tif 000009